(57)【特許請求の範囲】
【請求項１】
前後に延在するロッドと、左右にそれぞれ拡がるとともに柄の前方に延在する左右一対のアーム部を有し前記ロッドに固定された捕縛部と、を備えた刺叉であって、
前記左右一対のアーム部は、弾力部をそれぞれ有し、
前記弾力部は、前記左右一対のアーム部の開放面に直交する方向に弾力性を有し、かつ、前記左右一対のアーム部の左右方向における剛性を保持するように構成されており、
前記捕縛部が壁や地面に対して斜めに突き出されたとき、前記壁や前記地面に接触した側の前記アーム部の前記弾力部が曲がる
ことを特徴とする刺叉。
【請求項２】
前記弾力部は、前記左右一対のアーム部の中央から先端にかけて設けられている
ことを特徴とする請求項１に記載の刺叉。
【請求項３】
前後に延在するロッドと、左右にそれぞれ拡がるとともに柄の前方に延在する左右一対のアーム部を有し前記ロッドに固定された捕縛部と、を備えた刺叉であって、
前記左右一対のアーム部は、弾力部をそれぞれ有し、
前記捕縛部が壁や地面に対して斜めに突き出されたとき、前記壁や前記地面に接触した側の前記アーム部の前記弾力部が曲がるよう構成されており、
前記左右一対のアーム部は、長さが異なる複数の平板をそれぞれ有し、当該複数の平板が重ね合わされて構成されており、
前記弾力部は、前記複数の平板のうちの弾力性を有する平板によって構成されている
ことを特徴とする刺叉。
【請求項４】
弾力性を有する固定具をさらに備え、
前記重ね合わされた複数の平板は、互いにスライド不能に固定された固定部と、スライド可能に重ね合わされた非固定部とを有し、
前記非固定部は、前記弾力部であって、前記固定具によって束ねられている
ことを特徴とする請求項３に記載の刺叉。
【請求項５】
前記固定具は、Ｏリングであって、
前記平板は、幅方向端部に切り欠きを有し、
前記Ｏリングは、当該切り欠きに係止される
ことを特徴とする請求項４に記載の刺叉。
【請求項６】
前記平板は、肉抜き孔を有する
ことを特徴とする請求項３〜５のいずれか１項に記載の刺叉。
【請求項７】
前記左右一対のアーム部は、弾性素材から構成されている
ことを特徴とする請求項１〜６のいずれか１項に記載の刺叉。
【請求項８】
前記左右一対のアーム部は、一体的に形成されている
ことを特徴とする請求項１〜７のいずれか１項に記載の刺叉。
【請求項９】
前後に延在するロッドと、左右にそれぞれ拡がるとともに柄の前方に延在する左右一対のアーム部を有し前記ロッドに固定された捕縛部と、を備えた刺叉であって、
前記左右一対のアーム部は、弾力部をそれぞれ有し、
前記捕縛部が壁や地面に対して斜めに突き出されたとき、前記壁や前記地面に接触した側の前記アーム部の前記弾力部が曲がるよう構成されており、
前記左右一対のアーム部は、側面視長さ方向に波状に形成された波状部をそれぞれ有し、
前記左右一対のアーム部の前記波状部から先端は、前記波状部を基に前記左右一対のアーム部の開放面に直交する方向に曲がるように構成されている
ことを特徴とする刺叉。
【発明の詳細な説明】
【技術分野】
【０００１】
本発明は、相手を捕縛するために用いられる刺叉に関し、特に、捕縛部を壁や地面に対して斜めに突き出しても相手を適切に捕縛することができる刺叉に関する。
【背景技術】
【０００２】
従来、防犯用としての武具、防具として刺叉が知られている（例えば、特許文献１および特許文献２参照）。図９に示すように、刺叉１００は、パイプ状の長いロッド１１０と、左右一対のアーム部１２１、１２１によってＵ字状に形成されロッド１１０に固定された捕縛部１２０と、を備えている。使用者Ｐ１は、暴漢Ｐ２等を捕縛する際には、ロッド１１０を両手で握り捕縛部１２０を前方に突き出し、暴漢Ｐ２等を捕縛部１２０の内側で壁や地面Ｇに押さえつけることにより捕縛する。刺叉１００は、使用者Ｐ１がロッド１１０の長さだけ暴漢Ｐ２等との距離を置くことができるので、ナイフ等の凶器を所持した暴漢Ｐ２等の捕縛に有効である。
【０００３】
ところで、図９に示すように、使用者Ｐ１は、暴漢Ｐ２等を捕縛する際に捕縛部１２０を壁や地面Ｇに対して斜めから突き出すと、アーム部１２１の先端Ｔが壁や地面Ｇにつかえて捕縛が妨げられることがある。そのため、使用者Ｐ１は、捕縛部１２０を壁や地面Ｇに対してできる限り垂直に突き出すことが求められる。しかしながら、捕縛部１２０内から脱出しようとする暴漢Ｐ２等を捉えつつ捕縛部１２０の向きを調整することは、使用者Ｐ１にとって困難であった。
【先行技術文献】
【特許文献】
【０００４】
【特許文献１】実用新案登録第３０３０２８２号公報
【特許文献２】実用新案登録第３０８９３７２号公報
【発明の概要】
【発明が解決しようとする課題】
【０００５】
そこで、本発明が解決すべき課題は、捕縛部が壁や地面に対して斜めに突き出されたときに、アーム部の先端が壁や地面につかえて捕縛が妨げられることを防止することができる刺叉を提供することにある。
【課題を解決するための手段】
【０００６】
上記課題を解決するために、本発明に係る刺叉は、
前後に延在するロッドと、左右にそれぞれ拡がるとともに柄の前方に延在する左右一対のアーム部を有しロッドに固定された捕縛部と、を備えた刺叉であって、
左右一対のアーム部は、弾力部をそれぞれ有し、
捕縛部が壁や地面に対して斜めに突き出されたとき、壁や地面に接触した側のアーム部の弾力部が曲がる、ことを特徴とする。
【０００７】
上記刺叉は、好ましくは、
弾力部が、左右一対のアーム部の開放面に直交する方向に弾力性を有する。
【０００８】
上記刺叉は、好ましくは、
弾力部が、アーム部の左右方向における剛性を保持するように構成されている。
【０００９】
上記刺叉は、例えば、
弾力部が、アーム部の中央から先端にかけて設けられている。
【００１０】
上記刺叉は、好ましくは、
アーム部が、長さが異なる複数の平板を有し、当該複数の平板が重ね合わされて構成されており、
弾力部は、複数の平板のうちの弾力性を有する平板によって構成されている。
【００１１】
上記刺叉は、好ましくは、
弾力性を有する固定具をさらに備え、
重ね合わされた複数の平板は、互いにスライド不能に固定された固定部と、スライド可能に重ね合わされた非固定部とを有し、
非固定部は、弾力部であって、弾力性を有する固定具によって束ねられている。
【００１２】
上記刺叉は、好ましくは、
弾力性を有する固定具が、Ｏリングであって、
平板は、幅方向端部に切り欠きを有し、
Ｏリングは、当該切り欠きに係止される。
【００１３】
上記刺叉は、好ましくは、
平板が、肉抜き孔を有する。
【００１４】
上記刺叉は、好ましくは、
左右一対のアーム部が、弾性素材から構成されている。
【００１５】
上記刺叉は、好ましくは、
左右一対のアーム部が、一体的に形成されている。
【００１６】
上記刺叉は、好ましくは、
左右一対のアーム部が、側面視長さ方向に波状に形成された波状部をそれぞれ有し、
左右一対のアーム部の波状部から先端が、波状部を基に左右一対のアーム部の開放面に直交する方向に曲がるように構成されている。
【発明の効果】
【００１７】
本発明に係る刺叉は、捕縛部が壁や地面に対して斜めに突き出されたときに、アーム部の先端が壁や地面につかえて捕縛が妨げられることを防止することができる。
【図面の簡単な説明】
【００１８】
【図１】本発明の一実施例に係る刺叉の概略斜視図である。
【図２】Ａは図１に示された捕縛部の概略分解図であり、Ｂは組み上げられたアーム部を示す図であり、Ｃ、ＤおよびＥは図２のＣ部、Ｄ部およびＥ部を示す拡大図である。
【図３】図１に示された刺叉の概略組み立て図である。
【図４】図１に示された刺叉の曲がり具合の一例を示す図である。
【図５】図１に示された刺叉の使用例を示す図である。
【図６】本発明に係る刺叉のアーム部の変形例を示す図であり、Ａは平面図、Ｂはアーム部の拡大側面図である。
【図７】本発明に係る刺叉のアーム部の別の変形例を示す図である。
【図８】本発明に係る刺叉のアーム部のさらに別の変形例を示す図である。
【図９】従来の刺叉を示す図である。
【発明を実施するための形態】
【００１９】
以下、添付図面を参照しつつ、本発明の一実施例に係る刺叉Ｆについて説明する。図中において、両矢印Ｘは前後方向を示し、両矢印Ｙは、左右方向を示している。両矢印Ｘ、ＹおよびＺは、互いに直交する方向を示している。
【００２０】
まず、刺叉Ｆの各構成について説明する。図１は、本実施例に係る刺叉Ｆの概略斜視図である。図１に示すように、刺叉Ｆは、ロッド１と、捕縛部２と、捕縛部２をロッド１に固定するブラケットホルダー３と、を備えている。
【００２１】
ロッド１は、ロッド本体１０と、持ち手部１１とを有する。ロッド本体１０は、断面丸筒のパイプ状に形成され、図のＸ方向に延在する。ロッド本体１０の材質は、クロムモリブデン鋼、ハイカーボンスチール鋼、ジュラルミン鋼、炭素繊維強化プラスチック（ＣＦＲＰ）、またはガラス繊維強化プラスチック(ＦＲＰ)で構成されている。なお、ロッド１のこれら断面形状および材質は、単なる一例であってこれに限定されない。ロッド１は、使用者Ｐ１と暴漢Ｐ２等との距離を十分に保てるように所定の長さを有している。当該所定の長さは、例えば、成人男性の身長程度であってもよい。持ち手部１１は、ロッド本体１０の中央より後方側に配置されている。持ち手部１１は、滑り止めの加工がされてもよい。
【００２２】
捕縛部２は、左右一対のアーム部２０、２０を有し、Ｙ方向に開かれたＵ字状に形成されている。左右一対のアーム部２０、２０は、その内側を相手の胴体に押し当てられるように構成されている。
【００２３】
図２Ａは、捕縛部２の概略分解図である。図２Ａに示すように、捕縛部２は、９枚の円弧状に形成された平板２０ａ〜２０ｉを有する。平板２０ａ〜２０ｉは、それぞれ３つの異なる長さによって形成されているが、その弧度、幅および厚みは同様に構成されている。そして、図２Ｂに示すように、捕縛部２では、これら９枚の平板２０ａ〜２０ｉの平面視における各中心が同一軸線上に配置され左右対称に積層されることにより、１つのＵ字状が形成されている。
【００２４】
最外層の平板２０ａ、２０ｉは、同じ長さであって９枚の平板２０ａ〜２０ｉのうち最も短く構成されている。平板２０ａ、２０ｉは、弾力性を有する金属製であって、例えば、ジュラルミン、チタン、ステンレス、鋼、鉄、リン青銅、バネ材から構成されてもよい。バネ材は、例えば、ハイテンション鋼、ステンレスばね鋼(ｓｕｓ３０１ｃｓｐ材)、鉄系ばね鋼(ＳＵＰ材、リボン鋼材)、リン青銅系ばね材、等でもよい。
【００２５】
平板２０ａ、２０ｉの１つ内側に配置された平板２０ｂ、２０ｈは、同じ長さであって平板２０ａ、２０ｉよりも長く、他の平板よりも短く構成されている。平板２０ｂ、２０ｈは、弾力性を有する硬質樹脂製であって、例えば、炭素繊維強化プラスチック(ＣＦＲＰ)から構成されてもよい。
【００２６】
平板２０ｂ、２０ｈの１つ内側に配置された平板２０ｃ、２０ｇは、同じ長さであって、平板２０ａ〜２０ｉのうち最も長く構成されている。平板２０ｃ、２０ｇは、合成ゴム製であって、例えば、ポリウレタンゴム、エチレンプロピレンジエン（ＥＰＤＭ）ゴム、アクリロニトリル・ブタジエン（ＮＢＲ）ゴム、クロロプレンゴム（ＣＲ）ゴム、シリコンゴム、フッ素ゴム、エラストマーゴム、等から構成されてもよい。
【００２７】
平板２０ｃ、２０ｇの１つ内側に配置された平板２０ｄ、２０ｆは、平板２０ｃ、２０ｇと同じ長さであって、例えば、平板２０ｃ、２０ｇと同様の合成ゴム製でもよい。
【００２８】
また、中心層の平板２０ｅは、軟質樹脂製であって、例えば、ポリカーボネイト、ナイロン（例えば、ＭＣナイロン系）、ポリアミド、ケブラー、塩化ビニル、ウレタン、ＡＢＳ樹脂、シリコン、ポリプロピレン、等から構成されてもよい。
【００２９】
図２Ａ〜図２Ｅに示すように、９枚の平板２０ａ〜２０ｉは、それぞれ中心から所定の間隔をおいて複数（本実施例では８つ）のネジ孔２０ｋを有し、当該ネジ孔２０ｋを通るボルト４によって結合されるよう構成されている。なお、本実施例では、左右一対のアーム部２０、２０は、一体的に形成されているが、例えば、左右別個の平板によって個別に構成されていてもよい。
【００３０】
また、図２Ｃおよび図２Ｄに示すように、平板２０ａ、２０ｉを除く他の平板２０ｂ〜２０ｈは、アーム部２０の中央より先端側かつ幅方向端部に複数の切り欠き２０ｍを有し、各切り欠き２０ｍの位置は、平板２０ａ〜２０ｉが積層された状態で一致するように構成されている。
【００３１】
図２Ｂに示すように、捕縛部２は、さらに複数（本実施例では６つ）のＯリング２２を有する。Ｏリング２２は、積層された平板２０ｂ〜２０ｈを束ねるとともに各切り欠き２０ｍに係止される。
【００３２】
図３に示すように、ロッド１は、テーパ状に形成された補強材１２をさらに有する。補強材１２は、ネジ孔１２ａを有する。
【００３３】
ブラケットホルダー３は、円弧状に形成された円弧部と、円弧部の中央から円弧部に直交する方向に延在するパイプ部とを有する。円弧部は、断面コの字状に形成され捕縛部２が差し込まれるように構成されている。ブラケットホルダー３は、円弧部に４つのネジ孔３ａを有し、当該ネジ孔３ａは、９枚の平板２０ａ〜２０ｉのネジ孔２０ｋの位置と一致するように構成されている。ブラケットホルダー３は、さらにパイプ部にネジ孔３ａを有する。
【００３４】
＜組立方法＞
次に、図３を参照して、刺叉Ｆの組立方法について説明する。
【００３５】
（１）まず、９枚の平板２０ａ〜２０ｉが、積層されＯリング２２で束ねられる。このとき、接着剤または薄手両面テープによって、平板２０ａ〜２０ｉの中心からアーム部２０の中間部までが互いに貼り合わされてもよい。これにより、捕縛部２のＵ字状が形成される。
【００３６】
（２）次いで、捕縛部２の中央部が、ブラケットホルダー３に装着され、ボルト４によって固定される。平板２０ａ〜２０ｉを互いにスライド不能に固定するボルト４は、単なる一例であって、例えば、リベット等で代用してもよい。これにより、アーム部２０の弾力部２０ｊと固定部２０ｌとが形成される（図４参照）。
【００３７】
（３）次いで、補強材１２の一端が、ロッド本体１０のパイプ孔に差し込まれる。これにより、ロッド１の捕縛部２との結合部分が補強される。
【００３８】
（４）次いで、ブラケットホルダー３のパイプ部に補強材１２の他端が差し込まれ、ボルト４によって補強材１２とブラケットホルダー３とが固定される。これにより、捕縛部２がロッド１に固定される。
【００３９】
＜捕縛部の機能性＞
次に、図４および図５を参照して、捕縛部２の機能性について説明する。図４に示すように、捕縛部２は、弾力性を有する複数の平板２０ａ〜２０ｉから構成され、かつ、ネジ孔２０ｋが設けられていない領域（以下、「弾力部」という）２０ｊでは、平板２０ｂ〜２０ｈが弾力性を有するＯリング２２によって束ねられスライド可能に構成されている。そのため、図４の仮想線に示すように、弾力部２０ｊは、力が加えられることによりＺ方向にしなることができる。なお、本発明における左右一対のアーム部２０、２０の開放面に直交する方向は、本実施例のおけるＺ方向に相当する。
【００４０】
また、アーム部２０は、弾力部２０ｊの基端側から中央までは、７枚の平板２０ｂ〜２０ｈが積層され、弾力部２０ｊの中央から先端までは、５枚の平板２０ｃ〜２０ｇが積層されている。すなわち、弾力部２０ｊの厚みは、２段に構成されている。これにより、弾力部２０ｊの中央より先端のしなり幅は、他の弾力部２０ｊの領域よりも大きくなるように構成されている。言い換えると、刺叉Ｆは、弾力部２０ｊの中央より基端までは、弾力部２０ｊの他の領域よりも剛性が高く保たれ、捕縛部２内に捕縛された暴漢Ｐ２の脱出を妨げるように構成されている。加えて、ネジ孔２０ｋが設けられている領域（以下、「固定部」という）２０ｌでは、ボルト４で固定されていることに加え、弾力部２０ｊよりも平板の枚数が多く、かつ、剛性の高い平板２０ａ、２０ｉで挟まれているので、使用者Ｐ１は、捕縛部２を暴漢Ｐ２に対して安定して押し当てることができる。
【００４１】
さらに、捕縛部２は、弾力性を有する平板２０ａ〜２０ｉが積層された構造であるため、従来のパイプ状の刺叉１００の捕縛部２と比較して、受けた衝撃を持ち手部１１に伝わることが軽減される。したがって、捕縛部２は、暴漢などが所有する武器によって打撃を受けた場合に持ち手部１１に衝撃が伝わることを軽減し、持ち手部１１を握る使用者Ｐ１の手がしびれることを防止することができる。しかも、本実施例では、アーム部２０は、弾性素材から構成されているので非弾性素材に比して復元力があり、その結果、武器等の打撃による変形を防止することができる。
【００４２】
図５は、倒れている暴漢Ｐ２に対して捕縛部２が斜めに押し当てられているところを示す図である。図９に示された従来の刺叉１００であれば、捕縛部１２０が壁や地面に対して斜めに突き出されたとき、アーム部１２１の先端Ｔが地面Ｇに接触し他方のアーム部１２１の先端と暴漢Ｐ２の胴体との間に隙間Ｌ２が生じる。一方、図５Ａおよび図５Ｂに示すように、本実施例に係る刺叉Ｆでは、捕縛部２が壁や地面に対して斜めに突き出され、一方のアーム部２０の先端Ｔが地面Ｇに接触しても、弾力部２０ｊがしなることにより、ロッド１の先端からアーム部２０の先端Ｔまでの長さが距離Ｌ１だけ短くなる。そのため、他方のアーム部２０の先端と暴漢Ｐ２の胴体との間に隙間が生じない。しかも、アーム部２０は、Ｙ方向外側にはしならないように構成されているので、Ｚ方向に弾力性を有しながらＹ方向への剛性を保持することができる。これにより、使用者Ｐ１は、暴漢Ｐ２を適切に捕縛することができる。
【００４３】
以上、本発明の一実施例に係る刺叉Ｆについて説明してきたが、本発明は、上記実施例に限定されるものではない。本発明に係る刺叉Ｆは、例えば、以下の変形例によって実施されてもよい。
【００４４】
＜変形例＞
・図６に示すように、アーム部２０の中央は、側面視で長さ方向に波状に形成された波状部２０ｐを有し、Ｚ方向に弾力性を有する平板から構成されてもよい。これにより、アーム部２０は、波状部２０ｐを基にＺ方向にしなることができ、しかもＹ方向への剛性を保つことができる。この場合、アーム部２０は、一枚の平板から構成されてもよいし、重ね合わされた複数の平板から構成されてもよい。
【００４５】
・図７Ａ〜図７Ｃに示すように、平板２０ａ〜２０ｉは、例えば、肉抜き孔２０ｎを有してもよい。これにより、軽量化、材料コスト削減をはかることができる。肉抜き孔２０ｎの数および形状は、特に限定されないが、幅方向の剛性を保てるように構成されることが好ましい。また、上記実施例のように複数の平板２０ａ〜２０ｉを積層する場合には、複数の平板２０ａ〜２０ｉのうちの１部が肉抜き孔２０ｎを有してもよいし、各平板の肉抜き孔２０ｎの形状および数は、異なっていてもよい。
【００４６】
・図８に示すように、複数の平板２０ｂ〜２０ｈを束ねる固定具は、例えば、チューブでもよく、当該チューブは、熱収縮チューブ２６でもよい。この場合、熱収縮チューブ２６は、積層された平板２０ｂ〜２０ｈに装着された後、熱を加えられ、平板２０ｂ〜２０ｈの形状に沿うように形成されてもよい。
【００４７】
・図５Ｂに示すように、アーム部２０の内側にクッション材２８を設けてもよい。これにより、暴漢などを適切に捕縛しつつ、近年、求められている「加害者への過剰な暴力の抑止」も実現することができる。
【００４８】
・積層される平板の枚数および厚みは、アーム部２０の長さおよび平板の素材に基づいて、適宜変更されてもよい。平板の厚みは、例えば、０．５ｍｍ〜６ｍｍでもよい。積層される複数の平板の厚みは、それぞれ異なっていてもよい。また、適切に積層されるのであれば、平板自体の厚みは、均等でなくてもよい。
【００４９】
・複数の平板は、武器による打撃耐性を考慮しない場合、すべて弾性素材で構成されなくてもよい。この場合、捕縛部２は、固定部２０ｌについては、非弾性素材で構成されてもよい。また、弾力部２０ｊは、弾力性を有し、かつ、相手を適切に捕縛するという目的を達成できるのであれば、素材は特に限定されない。したがって、平板は、種々の金属、樹脂およびゴムのいずれかまたはその組み合わせから構成されてもよく、その組み合わせ方法は特に限定されない。
【００５０】
・アーム部２０における弾力部の配置は、捕縛部２によって暴漢Ｐ２等を捕縛することができるとともに、捕縛部２が壁や地面Ｇに対して斜めに突き出されたとき、壁や地面Ｇに接触した側のアーム部２０が曲がり捕縛が妨げられないという目的が達成されるのであれば、特に限定されない。
【符号の説明】
【００５１】
Ｆ  刺叉
Ｇ  地面
Ｐ１  使用者
１  ロッド
１０  ロッド本体
１１  持ち手部
１２  補強材
１２ａ  ネジ孔
２  捕縛部
２０  アーム部
２０ａ〜２０ｉ  平板
２０ｊ  弾力部
２０ｋ  ネジ孔
２０ｌ  固定部
２０ｍ  切り欠き
２０ｎ  肉抜き孔
２０ｐ  波状部
２２  Ｏリング
２６  熱収縮チューブ
２８  クッション材
３  ブラケットホルダー
３ａ  ネジ孔
４  ボルト
１００  従来の刺叉
【要約】
【課題】捕縛部が壁や地面に対して斜めに突き出されたときに、アーム部の先端が壁や地面につかえて捕縛が妨げられることを防止することができる刺叉を提供する。
【解決手段】前後に延在するロッド１と、左右一対のアーム部２０、２０を有しロッドに固定された捕縛部２とを備えた刺叉Ｆにおいて、左右一対のアーム部２０、２０は、弾力部２０ｊ、２０ｊをそれぞれ有する。捕縛部２が壁や地面に対して斜めに突き出されたとき、壁や地面に接触した側のアーム部２０の弾力部２０ｊがしなるので、捕縛が妨げられない。
【選択図】図１【図１】
0006986774.tif 000002
【図２】
0006986774.tif 000003
【図３】
0006986774.tif 000004
【図４】
0006986774.tif 000005
【図５】
0006986774.tif 000006
【図６】
0006986774.tif 000007
【図７】
0006986774.tif 000008
【図８】
0006986774.tif 000009
【図９】
0006986774.tif 000010